(57)【要約】【課題】ヘッド部内の排水性を向上させた電気かみそりを提供する。【解決手段】電気かみそりの通常載置状態におけるヘッド部（収容ケース３０）の内部空間の最下部近傍に、その内部に入り込んだ水等の液体を外部に排出可能な排出口４５が形成される。また、収容ケース３０内の補強リブ４０〜４３には、ヘッド部内（収容ケース３０内）に入り込んだ水等の排出口４５側への流れ（流路ａ１〜ａ４）を作る傾斜面４０ｂ，４１ａ，４３ｂが形成される。【選択図】図６
2013226300.tif 000002
【特許請求の範囲】
【請求項１】
グリップ部に対して可動可能に連結されたヘッド部に、駆動部と該駆動部にて動作する刃ユニットとを備えてなる電気かみそりであって、
電気かみそりの通常載置状態における前記ヘッド部の内部空間の最下部近傍に、該ヘッド部内に入り込んだ液体を外部に排出可能な排出口が形成されていることを特徴とする電気かみそり。
【請求項２】
請求項１に記載の電気かみそりにおいて、
前記ヘッド部を構成する収容ケースには、外側環状部の内側に収容凹部を有するとともに、その外側環状部と間隔を有して内側環状部を有し、該内側環状部より内側にて前記駆動部が収容されるものであり、前記外側環状部と前記内側環状部との間においてその少なくとも一方に接続された補強リブが前記収容凹部の凹部底面から立設されるものであって、
前記ヘッド部内に入り込んだ液体の前記排出口までの流路上に位置する前記補強リブには、その液体の前記排出口側への流れを作る傾斜面が形成されていることを特徴とする電気かみそり。
【請求項３】
請求項２に記載の電気かみそりにおいて、
前記排出口までの前記液体の流路上に位置し前記液体の乗り越えを要する前記補強リブは、その少なくとも一部が背低に形成されていることを特徴とする電気かみそり。
【請求項４】
請求項１〜３のいずれか１項に記載の電気かみそりにおいて、
前記ヘッド部の排出口は、前記グリップ部から延びる延出部にて、排水の妨げとならないように覆われて目隠しされる位置に設定されていることを特徴とする電気かみそり。
【発明の詳細な説明】
【技術分野】
【０００１】
本発明は、電気かみそりに係り、詳しくは刃ユニットを有するヘッド部内の排水構造に関するものである。
【背景技術】
【０００２】
電気かみそりは、刃ユニットを有するヘッド部とグリップ部とを備えて構成されている。刃ユニットは外刃及び内刃を有し、駆動部の駆動によりその内刃を動作させることで、外刃から導入される髭等がその両刃にて切断されるものである（例えば特許文献１参照）。
【先行技術文献】
【特許文献】
【０００３】
【特許文献１】特許第４２４７８０２号公報
【発明の概要】
【発明が解決しようとする課題】
【０００４】
ところで、電気かみそりは、ヘッド部内に切断した毛屑等が溜まるため、ヘッド部内を水洗いしたり、そもそも水等の濡れた環境で使用することもあるため、ヘッド部内に入り込んだ水等の液体が長く留まらないようにするのが好ましい。ヘッド部内に水等が長期間溜まると、悪臭発生の要因となったり、次回使用時に使用者の肌にその溜まった水等が付着し、使用者の不快感を招くためである。
【０００５】
しかしながら、ヘッド部内の水等を排水するのに使用者の操作を必要とするのは煩雑なため、電気かみそりを所定の姿勢で載置した状態で、ヘッド部内に溜まった水等を効率良く外部に排出させる構造とすることが望まれている。
【０００６】
特にヘッド部に駆動部を備えるものでは、電動モータ等を有する駆動部をヘッド部の区画壁内に収容して防水構造とするため、区画壁や該区画壁の周囲にリブ等を設ける必要があって、ヘッド部内では突起物が複数立設されている。つまり、このような複雑な内部構造をなし水等が長く留まり易いヘッド部内において、内部に入り込んだ水等を効率良く外部に排出できる構造とすることが望まれている。
【０００７】
本発明は、上記課題を解決するためになされたものであって、その目的は、ヘッド部内の排水性を向上させた電気かみそりを提供することにある。
【課題を解決するための手段】
【０００８】
上記課題を解決するために、本発明の電気かみそりは、グリップ部に対して可動可能に連結されたヘッド部に、駆動部と該駆動部にて動作する刃ユニットとを備えてなる電気かみそりであって、電気かみそりの通常載置状態における前記ヘッド部の内部空間の最下部近傍に、該ヘッド部内に入り込んだ液体を外部に排出可能な排出口が形成される。
【０００９】
また上記構成において、前記ヘッド部を構成する収容ケースには、外側環状部の内側に収容凹部を有するとともに、その外側環状部と間隔を有して内側環状部を有し、該内側環状部より内側にて前記駆動部が収容されるものであり、前記外側環状部と前記内側環状部との間においてその少なくとも一方に接続された補強リブが前記収容凹部の凹部底面から立設されるものであって、前記ヘッド部内に入り込んだ液体の前記排出口までの流路上に位置する前記補強リブには、その液体の前記排出口側への流れを作る傾斜面が形成されるのが好ましい。
【００１０】
また上記構成において、前記排出口までの前記液体の流路上に位置し前記液体の乗り越えを要する前記補強リブは、その少なくとも一部が背低に形成されるのが好ましい。
また上記構成において、前記ヘッド部の排出口は、前記グリップ部から延びる延出部にて、排水の妨げとならないように覆われて目隠しされる位置に設定されるのが好ましい。
【発明の効果】
【００１１】
本発明によれば、ヘッド部内の排水性を向上させた電気かみそりを提供することができる。
【図面の簡単な説明】
【００１２】
【図１】一実施形態における電気かみそりを示す斜視図である。
【図２】電気かみそりのヘッド部の分解斜視図である。
【図３】電気かみそりの通常載置状態を示す側方視図である。
【図４】電気かみそりの長手方向におけるヘッド部の断面図である。
【図５】ヘッド部の収容ケースを示す斜視図である。
【図６】ヘッド部の収容ケースの内部構造を示す平面図である。
【図７】ヘッド部の収容ケースの内部構造を示す図６の１−１断面図である。
【図８】ヘッド部に設けた排出口を示す斜視図である。
【図９】ヘッド部に設けた排出口を示す斜視図である。
【発明を実施するための形態】
【００１３】
以下、本発明を具体化した一実施形態を図面に従って説明する。
図１に示すように、充電式の電気かみそり１０は、使用者の手で把持し易い略扁平直方体状をなすグリップ部１１と、該グリップ部１１の長手方向一端部（図１では上端部）に設けられるヘッド部１２とを有している。ヘッド部１２は、外刃１５ａ及び内刃１５ｂを有する刃ユニット１５と駆動ユニット１６とを備え、駆動ユニット１６の駆動により内刃１５ｂを往復動させ、その内刃１５ｂを覆うように設けられる外刃１５ａから導入された髭等を両刃１５ａ，１５ｂにて切断するものである。また、このヘッド部１２は、グリップ部１１に対して進退可能に且つ内刃１５ｂの往復駆動方向である幅方向にも傾動可能に連結されており、外刃１５ａ部分が使用者の肌面に追従可動して良好に接触できるようになっている。
【００１４】
グリップ部１１は、内部に制御回路２０（回路基板）と二次電池２１とを備えるとともに、前面略中央にスイッチ２２が備えられており、該スイッチ２２、制御回路２０、二次電池２１及び上記の駆動ユニット１６は電気的に接続されている。スイッチ２２が操作されると、制御回路２０は二次電池２１からの電力を駆動ユニット１６に供給し、駆動ユニット１６による内刃１５ｂの駆動が行われる。二次電池２１は、商用交流電源から充電用の直流電力を生成する充電器を用いて外部から充電がなされ、その充電器のプラグ（共に図示略）との接続を図るためのプラグ装着穴２５がグリップ部１１の下端部に設けられている。
【００１５】
次に、ヘッド部１２の詳細構成を説明する。
図２に示すように、ヘッド部１２は、収容ケース３０とカバー３１とで形成される内側の収容空間に、外刃１５ａ及び内刃１５ｂを有する刃ユニット１５と、電動モータ１６ａ（図１参照）を有する駆動ユニット１６とが収容されている。駆動ユニット１６は、電動モータ１６ａと出力変換部１６ｂとを有している。出力変換部１６ｂは、モータ１６ａの回転動作を一対の出力軸１６ｃの幅方向への往復動作に変換する。また、このような駆動ユニット１６の収容ケース３０への収容に際し、中間蓋部材３２が用いられている。
【００１６】
図２、図５及び図６に示すように、収容ケース３０は、電気かみそり１０の幅方向に長い略長方形環状の外側環状部３５を有し、その内側に断面略長方形状の収容凹部３６が形成されている。また、外側環状部３５とは間隔を有し、同方向に長い長方形環状の内側環状部３７が収容凹部３６の凹部底面３６ａから立設されている。内側環状部３７の内側には、駆動ユニット１６を収容する収容部３８、詳しくは出力変換部１６ｂを収容する第１収容部３８ａと、該第１収容部３８ａと連続してモータ１６ａを収容する第２収容部３８ｂとが設けられている。収容ケース３０（ヘッド部１２）は、この第２収容部３８ｂがグリップ部１１の内部に挿入されるようにして該グリップ部１１に対して可動可能に連結される。
【００１７】
外側環状部３５と内側環状部３７との間には、両環状部３５，３７間を接続又は内側環状部３７側と接続される補強リブ４０〜４３を含む複数の補強リブが凹部底面３６ａから立設されている。補強リブ４０〜４３を含む各補強リブは、内側環状部３７の外周周りの所定箇所に設けられている。補強リブ４０〜４３を含む各補強リブは、収容ケース３０の樹脂成形時の形状維持、例えば各環状部３５，３７の形状維持等を目的として設けられるものである。
【００１８】
内側環状部３７内の収容部３８に駆動ユニット１６が収容配置された後には、外側環状部３５の開口部内側に内嵌するように中間蓋部材３２が収容ケース３０に対してネジ（図示略）等にて取り付けられる。即ち、中間蓋部材３２は、外側環状部３５の開口断面形状に対応した略長方形状をなしており、中央部には駆動ユニット１６の一対の出力軸１６ｃを挿通させる略正方形状の挿通口３２ａが設けられている。
【００１９】
また図２及び図４に示すように、この中間蓋部材３２には、裏面側（駆動ユニット１６側）に、収容ケース３０の内側環状部３７と同じ環状形状をなす裏面環状部３２ｂが設けられており、中間蓋部材３２の収容ケース３０への取付状態で内側環状部３７とその裏面環状部３２ｂとの端面同士が密着するようになっている。
【００２０】
つまり、裏面環状部３２ｂと内側環状部３７とで囲まれる内側空間、即ち電動モータ１６ａを有する駆動ユニット１６の収容空間が防水域Ａ１として構成される。尚、挿通口３２ａ部分には、その環状部３２ｂ，３７内空間を防水域Ａ１とすべく図示略の防水部材が取着される。これに対して、内側環状部３７の外周側は、その空間が同様に中間蓋部材３２にて閉塞されるものの、水等の液体が浸入し得る領域であり、被水域Ａ２となっている。
【００２１】
中間蓋部材３２の挿通口３２ａから突出した駆動ユニット１６の一対の出力軸１６ｃには、それぞれ内刃１５ｂが着脱可能に装着される。これに対し、一対の外刃１５ａはカバー３１に装着され、各外刃１５ａが各内刃１５ｂを覆うようにカバー３１が中間蓋部材３２に対して着脱可能に装着される。こうして、駆動ユニット１６、中間蓋部材３２及び内刃１５ｂを収容した収容ケース３０（外側環状部３５）の開口は、外刃１５ａを有するカバー３１にて覆われるようになっている。
【００２２】
ところで、電気かみそり１０のヘッド部１２内の水等による洗浄や、水等の濡れた環境で使用した際、カバー３１内における中間蓋部材３２の表面側の空間（刃ユニット１５側の空間）は、外刃１５ａが開口していることもあって、排水性や乾燥性が良好である。一方、中間蓋部材３２の裏面側における内側環状部３７と外側環状部３５との間の被水域Ａ２に入り込んだ水等は、排水や乾燥がし難い箇所となっている。
【００２３】
また図３に示すように、本実施形態の電気かみそり１０が扁平形状をなし、ヘッド部１２がグリップ部１１に対して角度を有することから、電気かみそり１０のスイッチ２２が設けられていない側の面（図１において後面側）を載置面Ｘに向けて載置するのが通常の載置姿勢となる。載置面Ｘは、例えば水平面である。通常載置姿勢では、載置面Ｘに対し、ヘッド部１２は所定角度αだけ上方を向いている。そして、このような電気かみそり１０の通常載置姿勢において、本実施形態ではヘッド部１２内の中間蓋部材３２裏の被水域Ａ２の排水性を向上させる工夫がなされている。
【００２４】
ここで、図４はヘッド部１２の組付状態、図６及び図７はヘッド部１２の収容ケース３０のみを示し、いずれの図も図３に示す電気かみそり１０の通常載置状態において示されている。従って、図４、図６及び図７の上下方向と、図１の上下方向とは異なるものとなっている。
【００２５】
図４及び図６に示すように、外側環状部３５と内側環状部３７との間の被水域Ａ２の最下部近傍に、ヘッド部１２（収容凹部３６）の内部と外部とを連通する排出口４５が凹部底面３６ａに形成されている。尚、図６は、収容ケース３０の収容凹部３６と対向して見た時の長手方向一方側のみを示しており、同図６において排出口４５は１つである。収容ケース３０は、同じく収容凹部３６の開口側から見て左右対称形状であり、同図６にて省略された長手方向他方側にも同様な排出口が設けられている。後述の補強リブ４０〜４３についても同様に、左右対称構成となっている（図５参照）。
【００２６】
図６における収容凹部３６の長手方向一方側において、外側環状部３５及び内側環状部３７の短手方向の側壁３５ａ，３７ａ間には、４つの補強リブ４０〜４３が設けられている。電気かみそり１０の通常載置状態では、上から順に、補強リブ４０，４１，４２，４３と並んで設けられている。
【００２７】
補強リブ４０は、外側環状部３５と内側環状部３７とを接続するリブであり、電気かみそり１０を通常載置状態とする載置面Ｘと平行な基準面Ｘａに対し、その平面方向に延びている。また、補強リブ４０の内側環状部３７寄りの部分は、該リブ４０の先端部分が切り欠かれて背低とされた背低部４０ａとなっている。図７に示すように、この背低部４０ａには、電気かみそり１０を通常載置状態とした時に上面となるリブ４０の側面がリブ４０の基端部から先端部に向けて次第に低くなるように、基準面Ｘａに対して所定角度θ１の傾斜面４０ｂとして形成されている。従って、補強リブ４０の上段に溜まった水等は、図６及び図７にその流路ａ１として示すように、自重で背低部４０ａの傾斜面４０ｂを伝って移動し、リブ４０（背低部４０ａ）を容易に乗り越えられるようになっている。
【００２８】
補強リブ４１は、内側環状部３７側に接続されるリブであり、補強リブ４０の背低部４０ａを乗り越えた水等を受け止めることができるように、その補強リブ４０の背低部４０ａよりも高く設定されている。また、この補強リブ４１には、電気かみそり１０を通常載置状態とした時に上面となるリブ４１の側面が内側環状部３７から外側環状部３５に向けて次第に低くなるように、基準面Ｘａに対して所定角度θ２の傾斜面４１ａとして形成されている。従って、補強リブ４１の上段に溜まった水等は、図６にその流路ａ２として示すように、自重でリブ４１の傾斜面４１ａを伝ってリブ４１の連設方向端部まで容易に移動し、落下に導かれるようになっている。
【００２９】
補強リブ４２は、内側環状部３７側に接続されるリブであり、補強リブ４１と図６における上下方向に対称形状に形成されている。上段の補強リブ４１の連設方向端部から落下した水等は、図６にその流路ａ３として示すように、補強リブ４２が更に次段の補強リブ４３側までの落下の障壁とならないようになっている。
【００３０】
補強リブ４３は、外側環状部３５と内側環状部３７とを接続するリブであり、基準面Ｘａの平面方向に延びている。また、補強リブ４３の内側環状部３７寄りの部分は、該リブ４３の先端部分が切り欠かれて背低とされた背低部４３ａとなっている。図７に示すように、この背低部４３ａには、電気かみそり１０を通常載置状態とした時に上面となるリブ４３の側面がリブ４３の基端部から先端部に向けて次第に低くなるように、基準面Ｘａに対して所定角度θ３の傾斜面４３ｂとして形成されている。従って、補強リブ４３の上段に溜まった水等は、図６及び図７にその流路ａ４として示すように、自重で背低部４３ａの傾斜面４３ｂを伝って移動し、リブ４３（背低部４３ａ）を容易に乗り越えられるようになっている。
【００３１】
補強リブ４３を乗り越えて落下した水等は、図６にその流路ａ４として示すように、外側環状部３５の内側面に落下し、その外側環状部３５の内側面を伝って排出口４５に移動する。尚、図４に示すように、外側環状部３５と内側面には、排出口４５側に向けて水等が移動し易い斜面３５ｂで接続されている。そして、図４及び図６の破線矢印ａ５にて示すように、ヘッド部１２内の特にこの中間蓋部材３２裏の被水域Ａ２に入り込んだ水等が排出口４５から外部に排出される。つまり、水等の流路ａ１〜ａ４上にある所定のリブ４０，４１，４３に対し、その水等の自重にて排出口４５に向かう流れを作るような傾斜が形成されており、内部に入り込んだ水等を排出口４５に導き易い構造としている。
【００３２】
図８に示すように、排出口４５は、ヘッド部１２の収容ケース３０の外側面に開口するため、ヘッド部１２又は収容ケース３０の単体では、その排出口４５が外部から視認できる。しかしながら、図９に示すように、電気かみそり１０として組み立てると、グリップ部１１から延設されるトリマ部２６にて、そのヘッド部１２の排出口４５が排水の妨げとならないように覆われて目隠しされ、外観見栄えが良好とされている。
【００３３】
次に、本実施形態の特徴的な効果を記載する。
（１）電気かみそり１０の通常載置状態におけるヘッド部１２の内部空間の最下部近傍に、該ヘッド部１２内に入り込んだ水等の液体を外部に排出可能な排出口４５が形成されている。つまり、電気かみそり１０を載置面Ｘに対して載置するだけで、ヘッド部１２内に入り込んだ水等を排出口４５から容易に排出でき、ヘッド部１２内の排水性を向上することができる。
【００３４】
（２）収容ケース３０内の補強リブ４０〜４３には、ヘッド部１２内（収容ケース３０内）に入り込んだ水等の排出口４５側への流れ（流路ａ１〜ａ４）を作る傾斜面４０ｂ，４１ａ，４３ｂが形成されている。これにより、各傾斜面４０ｂ，４１ａ，４３ｂにより、ヘッド部１２内の水等がその自重にて排出口４５に向かう流れが生じるため、ヘッド部１２内の排水性をより向上することができる。
【００３５】
（３）補強リブ４０，４３は、ヘッド部１２内（収容ケース３０内）に入り込んだ水等の乗り越えを要するリブであるため、その一部が背低部４０ａ，４３ａとして形成されている。これにより、排出口４５に向かう水等の背低部４０ａ，４３ａの乗り越えが容易となり、ヘッド部１２内の排水性向上に寄与できる。
【００３６】
（４）ヘッド部１２の排出口４５は、グリップ部１１から延びるトリマ部２６にて、排水の妨げとならないように覆われて目隠しされる位置に設定されている。これにより、使用者から排出口４５が視認し難くなるため、外観見栄えを良好とすることができる。
【００３７】
尚、本発明の実施形態は、以下のように変更してもよい。
・上記実施形態では、収容ケース３０において、補強リブ４０，４３は外側環状部３５と内側環状部３７とを接続し、補強リブ４１，４２は内側環状部３７と接続するものであったが、外側環状部３５と接続する補強リブを設け、上記構成を適用してもよい。また、補強リブの形状や配置、数等は適宜変更してもよい。
【００３８】
・上記実施形態では、補強リブ４０，４３に背低部４０ａ，４３ａを設けたが、設ける位置を適宜変更してもよく、また背低部を設けなくてもよい。
・上記実施形態では、補強リブ４０，４１，４３に傾斜面４０ｂ，４１ａ，４３ｂを設けたが、設ける位置を適宜変更してもよく、また傾斜面を設けなくてもよい。
【００３９】
・上記実施形態では、ヘッド部１２の排出口４５をグリップ部１１から延びる例えばトリマ部２６にて目隠しするようにしたが、グリップ部１１のトリマ部２６以外の部位で目隠ししたり、ヘッド部１２側の一部で目隠しする構成としてもよい。また、排出口４５の目隠しを行わなくてもよい。
【００４０】
・上記実施形態では、二次電池２１を有する充電式の電気かみそり１０に適用したが、ケーブル給電式の電気かみそりに適用してもよい。
・上記実施形態では、髭を切除する電気かみそり１０に適用したが、髭以外の体毛を切除する電気かみそりに適用してもよい。
【符号の説明】
【００４１】
１０…電気かみそり、１１…グリップ部、１２…ヘッド部、１５…刃ユニット、１６…駆動ユニット（駆動部）、２６…トリマ部（延出部）、３０…収容ケース、３５…外側環状部、３６…収容凹部、３６ａ…凹部底面、３７…内側環状部、４０〜４３…補強リブ、４０ａ，４３ａ…背低部、４０ｂ，４１ａ，４３ｂ…傾斜面、４５…排出口、ａ１〜ａ４…流路。
【図１】
2013226300.tif 000003
【図２】
2013226300.tif 000004
【図３】
2013226300.tif 000005
【図４】
2013226300.tif 000006
【図５】
2013226300.tif 000007
【図６】
2013226300.tif 000008
【図７】
2013226300.tif 000009
【図８】
2013226300.tif 000010
【図９】
2013226300.tif 000011